(57)【要約】【課題】トーショナルダンパに付加する曲げダンパ部が曲げ振動のみならず振れ周りモードの振動に対しても振動低減の作用効果を発揮するトーショナルダンパを提供する。また、トーショナルダンパの構成部品を容易に分解することができ、もって優れたリサイクル性を発揮するトーショナルダンパを提供する。【解決手段】ステー部の外周側にリム部を一体成形したハブを備え、リム部の内周側にストッパを嵌合し、ストッパおよびステー部間に曲げダンパ部を設定する。曲げダンパ部は、マスおよびその両側に配置されたゴム状弾性体の組み合わせよりなり、マスおよびゴム状弾性体は軸方向に圧縮された状態でストッパおよびステー部間に介装され、マスおよびゴム状弾性体はそれぞれ複数が円周方向に並んで設けられている。また、マスおよびゴム状弾性体は互いに非接着で組み付けられ、ゴム状弾性体はストッパおよびステー部に対しても非接着で組み付けられている。【選択図】図２
2015102121.tif 000002
【特許請求の範囲】
【請求項１】
ステー部の外周側にリム部を一体成形したハブを備え、前記リム部の内周側にストッパを嵌合し、前記ストッパおよび前記ステー部間に曲げダンパ部を設定し、
前記曲げダンパ部は、マスおよび前記マスの軸方向両側に配置されたゴム状弾性体の組み合わせよりなり、前記マスおよび前記ゴム状弾性体は軸方向に圧縮された状態で前記ストッパおよび前記ステー部間に介装され、さらに前記マスおよび前記ゴム状弾性体はそれぞれ複数が円周方向に並んで設けられていることを特徴とするトーショナルダンパ。
【請求項２】
請求項１記載のトーショナルダンパにおいて、
前記マスおよび前記ゴム状弾性体は互いに非接着で組み付けられ、前記ゴム状弾性体は前記ストッパおよび前記ステー部に対しても非接着で組み付けられていることを特徴とするトーショナルダンパ。
【発明の詳細な説明】
【技術分野】
【０００１】
本発明は、回転軸に発生する振動を低減するトーショナルダンパに関する。本発明のトーショナルダンパは例えば、自動車関連分野においてクランクプーリとして用いられ、または補機プーリなどとして用いられる。
【背景技術】
【０００２】
従来、クランク軸先端に発生する曲げ振動（径方向の振動）に対しては、トーショナルダンパに等方性の曲げダンパ部を付加することで振動対策を行なっている。ここで等方性の曲げダンパ部は例えば図５に示すように、クランク軸先端に取り付けるハブ５１に対し環状のゴム状弾性体５２を介しその軸方向一方に環状のマス５３を連結したものであって、作動時環状のマス５３はクランク軸先端に対し径方向に運動し相対変位する。
【０００３】
しかしながらこの等方性の曲げダンパ部は、クランク軸先端の振れ周りモードの振動（ミソすり状の振動）に対しては、振動ピークを二つに分ける効果は発生するものの曲げダンパによるダンパ効果を発揮しない。これは、振れ周りモードの振動ではゴム状弾性体５２のばねが円周上一定のため、振れ周りに対し釣り合ってしまうためであり、結果、マス５３の中心位置が軸の中心位置に対し常に一定となり、軸に対するマス５３の運動が発生しないためである。
【先行技術文献】
【特許文献】
【０００４】
【特許文献１】特開平９−２５７１１８号公報
【特許文献２】特開平４−２４９６３５号公報
【発明の概要】
【発明が解決しようとする課題】
【０００５】
本発明は以上の点に鑑みて、トーショナルダンパに付加する曲げダンパ部が曲げ振動のみならず振れ周りモードの振動に対しても振動低減の作用効果を発揮することができるトーショナルダンパを提供することを目的とする。またこれに加えて、トーショナルダンパの構成部品を容易に分解することができ、もって優れたリサイクル性を発揮することができるトーショナルダンパを提供することを目的とする。
【課題を解決するための手段】
【０００６】
上記目的を達成するため、本発明の請求項１によるトーショナルダンパは、ステー部の外周側にリム部を一体成形したハブを備え、前記リム部の内周側にストッパを嵌合し、前記ストッパおよび前記ステー部間に曲げダンパ部を設定し、前記曲げダンパ部は、マスおよび前記マスの軸方向両側に配置されたゴム状弾性体の組み合わせよりなり、前記マスおよび前記ゴム状弾性体は軸方向に圧縮された状態で前記ストッパおよび前記ステー部間に介装され、さらに前記マスおよび前記ゴム状弾性体はそれぞれ複数が円周方向に並んで設けられていることを特徴とする。
【０００７】
また、本発明の請求項２によるトーショナルダンパは、上記した請求項１記載のトーショナルダンパにおいて、前記マスおよび前記ゴム状弾性体は互いに非接着で組み付けられ、前記ゴム状弾性体は前記ストッパおよび前記ステー部に対しても非接着で組み付けられていることを特徴とする。
【０００８】
上記構成を備える本発明のトーショナルダンパにおいては、ハブのリム部の内周側に嵌合したストッパとハブのステー部との間に曲げダンパ部が設定され、この曲げダンパ部がマスおよびマスの軸方向両側に配置されたゴム状弾性体の組み合わせよりなるものとされ、マスおよびゴム状弾性体が軸方向に圧縮された状態でストッパおよびステー部間に介装され、さらにマスおよびゴム状弾性体がそれぞれ複数円周方向に並んで設けられているため、この複数のマスおよびゴム状弾性体がそれぞれ個別に円周方向および径方向に運動することが可能とされている。したがって曲げダンパ部に振れ周りモードの振動が入力すると複数のマスおよびゴム状弾性体がそれぞれ個別に運動し、その結果として複数のマス全体としての中心位置が軸中心位置に対し径方向に変位するため、当該構造によれば振れ周りモードの振動を低減させることが可能とされる。マスおよびゴム状弾性体は例えば円周上４等配で配置され、４個のマスは個別の運動を阻害しないよう互いに離間して配置される。
【０００９】
また、上記したようにマスおよびゴム状弾性体が軸方向に圧縮した状態でストッパおよびステー部間に介装される構造であるとこのマスおよびゴム状弾性体は互いに非接着で組み付けることが可能とされ、ゴム状弾性体はストッパおよびステー部に対しても非接着で組み付けることが可能とされる。したがってこのようにこれら各部品を非接着で組み付けることにより製品分解時にこれら各部品を容易に分解することが可能とされる。また、軸方向に圧縮されたゴム状弾性体は圧縮前と比較してゴム耐久性を向上させることが可能とされる。
【発明の効果】
【００１０】
本発明は、以下の効果を奏する。
【００１１】
すなわち本発明においては以上説明したように、曲げダンパ部に振れ周りモードの振動が入力したときに複数のマスおよびゴム状弾性体がそれぞれ個別に運動し、複数のマス全体としての中心位置が軸中心位置に対し径方向に変位するために、振れ周りモードの振動を低減させることが可能とされる。したがって本発明所期の目的どおり、トーショナルダンパに付加する曲げダンパ部が曲げ振動のみならず振れ周りモードの振動に対しても振動低減の作用効果を発揮するトーショナルダンパを提供することができる。
【００１２】
また、マスおよびゴム状弾性体を互いに非接着で組み付けるとともにゴム状弾性体をストッパおよびステー部に対しても非接着で組み付けることにより製品分解時にこれら各部品を容易に分解することが可能とされる。したがってトーショナルダンパの構成部品を容易に分解することができ、もって優れたリサイクル性を発揮するトーショナルダンパを提供することができる。
【図面の簡単な説明】
【００１３】
【図１】本発明の実施例に係るトーショナルダンパの断面図
【図２】同トーショナルダンパの断面斜視図
【図３】同トーショナルダンパの、ストッパを取り外した状態の斜視図
【図４】同トーショナルダンパを分解した状態の断面図
【図５】従来例に係るトーショナルダンパの断面図
【発明を実施するための形態】
【００１４】
つぎに本発明の実施例を図面にしたがって説明する。
【００１５】
図１ないし図３は、本発明の実施例に係るトーショナルダンパ１を示している。尚、図３では、内部構造（曲げダンパ部２１）を視認しやすくするため、ストッパ１６を取り外している。
【００１６】
符号１１は、クランク軸先端に取り付けられるハブであり、このハブ１１の外周側にゴム状弾性体１３を介して振動リング１４が連結されることにより、クランク軸に発生する捩り振動を低減するトーショナルダンパ部１２が設けられている。ハブ１１は、ボス部１１ａの外周側に軸直角平面状のステー部１１ｂを一体成形するとともにステー部１１ｂの外周側に円筒状のリム部１１ｃを一体成形したものであって、リム部１１ｃの外周側に上記トーショナルダンパ部１２が設けられている。振動リング１４の外周面には無端ベルトを巻架するためのプーリ溝１５が設けられ、よって振動リング１４はプーリとも称され、トーショナルダンパ１はクランクプーリとも称される。ステー部１１ｂには部品軽量化のため円周上複数の貫通穴が設けられることがある。
【００１７】
ハブ１１のリム部１１ｃの内周側に金属等剛性部材よりなる環状のストッパ（ストッパ環）１６が嵌合され、このストッパ１６およびハブ１１のステー部１１ｂ間に、クランク軸に発生する曲げ振動を低減する曲げダンパ部２１が設けられている。ストッパ１６は、ハブ１１のリム部１１ｃの内周側に嵌合される筒状部１６ａの一端に径方向内方へ向けてフランジ部１６ｂを一体成形したものであって、このストッパ１６のフランジ部１６ｂおよびハブ１１のステー部１１ｂ間に曲げダンパ部２１が設けられている。
【００１８】
曲げダンパ部２１は、所定の質量を備えるマス２２と、このマス２２の軸方向両側に配置された所定のバネ定数を備える一対のゴム状弾性体２３，２４との組み合わせよりなり、このマス２２およびゴム状弾性体２３，２４がストッパ１６のフランジ部１６ｂおよびハブ１１のステー部１１ｂ間に軸方向に圧縮された状態で介装されている。
【００１９】
また、マス２２およびゴム状弾性体２３，２４の組み合わせよりなる曲げダンパ部２１は複数組（図では４組）が円周方向に等間隔で並んで設けられ、よってマス２２およびゴム状弾性体２３，２４もそれぞれ複数（図ではマスは４個、ゴム状弾性体は４対８個）が円周方向に等間隔で並んで設けられている。マス２２は長方体をなすブロック状に成形され、ゴム状弾性体２３，２４も長方体をなすブロック状に成形されている。また、円周上隣り合うマス２２同士およびゴム状弾性体２３，２４同士はそれぞれ作動時に干渉することがないよう円周方向に間隔をあけて設けられ、よって互いに非接触とされている。また、上記したようにステー部１１ｂに円周上複数の貫通穴が設けられている場合、ステー部１１ｂは円周上複数のスポーク状とされるので、この場合にはフランジ部１６ｂとこのスポーク部との間にマス２２およびゴム状弾性体２３，２４が軸方向に圧縮された状態で介装されることになる。
【００２０】
上記曲げダンパ部２１を構成するマス２２およびゴム状弾性体２３，２４は接着剤を用いることなく互いに非接着で組み付けられている。また、ゴム状弾性体２３，２４についてはフランジ部１６ｂおよびステー部１１ｂに対しても接着剤を用いることなく互いに非接着で組み付けられている。上記したようにマス２２およびゴム状弾性体２３，２４はストッパ１６のフランジ部１６ｂおよびハブ１１のステー部１１ｂ間に軸方向に圧縮された状態で介装されているので、このように非接着であってもフランジ部１６ｂおよびステー部１１ｂ間に保持されることが可能とされている。
【００２１】
また、一対のゴム状弾性体２３，２４については、同一仕様の部品を共用することが可能とされている。
【００２２】
上記構成のトーショナルダンパ１においては、トーショナルダンパ部１２がクランク軸に発生する捩り振動を低減するとともに曲げダンパ部２１がクランク軸に発生する曲げ振動を低減するほか、以下の作用効果が発揮される。
【００２３】
すなわちハブ１１のリム部１１ｃの内周側に嵌合したストッパ１６のフランジ部１６ｂとハブ１１のステー部１１ｂとの間に曲げダンパ部２１が設定され、この曲げダンパ部２１がマス２２およびマス２２の軸方向両側に配置されたゴム状弾性体２３，２４の組み合わせよりなるものとされ、マス２２およびゴム状弾性体２３，２４が軸方向に圧縮された状態でフランジ部１６ｂおよびステー部１１ｂ間に介装され、マス２２およびゴム状弾性体２３，２４がそれぞれ円周上複数並んで設けられているために、この複数のマス２２およびゴム状弾性体２３，２４はそれぞれ個別に円周方向および径方向に運動することが可能とされている。したがって曲げダンパ部２１に振れ周りモードの振動が入力したときに複数のマス２２およびゴム状弾性体２３，２４がそれぞれ個別に運動して、その結果として複数のマス２２全体としての中心位置が軸中心位置に対し径方向に変位するため、振れ周りモードの振動を低減させることが可能とされている。したがって上記捩り振動および曲げ振動のほかに振れ周りモードの振動を低減することができる。
【００２４】
また、マス２２およびゴム状弾性体２３，２４が軸方向に圧縮した状態でストッパ１６のフランジ部１６ｂおよびハブ１１のステー部１１ｂ間に介装され、マス２２およびゴム状弾性体２３，２４が互いに非接着で組み付けられ、ゴム状弾性体２３，２４がストッパ１６のフランジ部１６ｂおよびハブ１１のステー部１ｂに対しても非接着で組み付けられているために、図４に示すように曲げダンパ部２１は製品分解時、各部品を容易に分解することが可能とされている。したがって各部品のリサイクル性を向上させることができる。
【００２５】
尚、当該実施例では、上記トーショナルダンパ部１２においてゴム状弾性体１３はハブ１１のリム部１１ｃおよび振動リング１４間に軸方向一方から圧入される構造とされ、よってこのトーショナルダンパ部１２も組み付けに際して接着剤を用いない非接着構造とされている。したがって当該トーショナルダンパ１はその全体としても接着剤を用いない非接着構造とされているため、リサイクル性が格段に優れたものとされている。
【００２６】
また、一対のゴム状弾性体２３，２４について同一仕様の部品を共用する場合には、部品点数は同じでも部品の種類が減じるため、部品の製作、管理および組み付けにかかる手間暇などを低減することができる。
【符号の説明】
【００２７】
１  トーショナルダンパ
１１  ハブ
１１ａ  ボス部
１１ｂ  ステー部
１１ｃ  リム部
１２  トーショナルダンパ部
１３，２３，２４  ゴム状弾性体
１４  振動リング
１５  プーリ溝
１６  ストッパ
１６ａ  筒状部
１６ｂ  フランジ部
２１  曲げダンパ部
２２  マス
【図１】
2015102121.tif 000003
【図２】
2015102121.tif 000004
【図３】
2015102121.tif 000005
【図４】
2015102121.tif 000006
【図５】
2015102121.tif 000007